(57)【要約】      （修正有）【課題】野縁受けの長手方向に沿って左右方向の振れ止めのために設けた振れ止め用筋交いに対して、直交する前後方向の振れ止めのための振れ止め用筋交いを簡単な構造によって設けることを可能とした野縁受け懸架装置を提供する。【解決手段】天井部Ｓより垂下される吊りボルト１の下端部１ａに取り付けられる野縁受け金具２は、野縁受け３を懸架するための野縁受け懸架金具片と、吊りボルトの下端部に取り付けられる吊りボルト取付金具片とを備え、両金具片によって野縁受けを長手方向に懸架支持する方形筒枠状に形成され、吊りボルト取付金具片の下向き縦片に、野縁受けの長手方向に直交する板状ブラケット１６を一体形成し、板状ブラケットに振れ止め用水平部材１７を野縁受けの長手方向に直交してビス１８で固定し、吊りボルトの上端部と振れ止め用水平部材にわたって振れ止め用筋交い２０を取り付ける。【選択図】図１
0003206550.tif 000002
【実用新案登録請求の範囲】
【請求項１】
天井部より垂下される吊りボルトの下端部に野縁受け金具を取り付け、これに野縁受けを懸架するようにした野縁受け懸架装置において、
野縁受け金具は、野縁受けを懸架するための野縁受け懸架金具片と、吊りボルトの下端部に取り付けられる吊りボルト取付金具片とを備え、野縁受け懸架金具片と吊りボルト取付金具片との夫々の上端部に形成した吊りボルト取付部片を互いに重合し、この重合部に吊りボルトの下端部を挿通してナット止めし、野縁受け懸架金具片に形成した上向き縦片と、これに対向して吊りボルト取付金具片に形成した下向き縦片とを重合し、この重合部と、野縁受け懸架金具片の縦枠とにわたってボルトを挿通させてナット止めすることによって、野縁受けをその長手方向に懸架支持する方形筒枠状の野縁受け金具が形成され、吊りボルト取付金具片の前記下向き縦片に、野縁受けの長手方向に対してこれに直交する板状ブラケットを一体形成し、該板状ブラケットに振れ止め用水平部材を野縁受けの長手方向に直交してビス止めするようにした野縁受け懸架装置。
【請求項２】
吊りボルトに、その上端部が固着され、その下端部が野縁受けにその長手方向に沿って傾斜して固着されてなる第１の振れ止め用筋交いと、吊りボルトに、その上端部が固着され、下端部が野縁受けに直交してビス止めされる振れ止め用水平部材に前記第１の振れ止め筋交いと直交するように傾斜して固着されてなる第２の振れ止め用筋交いとを備えてなる請求項１に記載の野縁受け懸架装置。
【請求項３】
前記振れ止め用水平部材は、隣り合う吊りボルト間にわたって野縁受け金具に形成した前記板状ブラケットにビス止めされ、前記第２の振れ止め用筋交いが夫々の吊りボルトと振れ止め用水平部材との間に設けられてなる請求項２に記載の野縁受け懸架装置。
【請求項４】
前記板状ブラケットの前面上下何れの部位においても振れ止め用水平部材をビス止めすることが可能なように該板状ブラケットの全域に多数のビス挿通孔が貫設されてなる請求項１〜３の何れかに記載の野縁受け懸架装置。
【請求項５】
野縁受け金具を形成する野縁受け懸架金具片と吊りボルト取付金具片のうち、一方の野縁受け懸架金具片を形成するための打ち抜き金属板は、ボルト挿通孔付きの縦枠に相当する部分を挟んで、その一端側に横折れ線によって折れ込まれるボルト挿通孔付きの吊りボルト取付部片に相当する部分と、縦枠の他端側に２重の横折れ線によって２重に折り込まれるボルト挿通孔付きの上向き縦片に相当する部分からなり、他方の吊りボルト取付金具片を形成するための打ち抜き金属板は、ボルト挿通孔付き下向き縦片に相当する部分の一端側に横折れ線によって折り込まれるボルト挿通孔付きの吊りボルト取付部片に相当する部分と、下向き縦片の一側側に縦折り線によって折り込まれる多数のビス挿通孔付きの板状ブラケットに相当する部分からなる請求項１〜４の何れかに記載の野縁受け懸架装置。
【考案の詳細な説明】
【技術分野】
【０００１】
本考案は、建物に天井材取付用の野縁を吊持するための野縁受け懸架装置に関するものである。
【背景技術】
【０００２】
建物の天井部に吊りボルトによって天井板取付用の野縁を吊持するための野縁受け懸架装置にあって、吊りボルトの振れ止め、すなわち吊りボルトの下端部に取り付けられ野縁受け金具の振れ止め用として振れ止め筋交いを吊りボルトの上端部と野縁受けとにわたって取り付けるようにしているが、吊りボルトの振れ止めは、左右方向のみならず、これに直交する前後方向の振れ止め用の筋交いを設ける必要がある。
【０００３】
すなわち、振れ止め筋交いを吊りボルトの上端部と野縁受けとにわたって傾斜状に取り付けることによって野縁受けの長手方向に沿う左右方向への振れ止めを果たすことができるが、これに直交する前後方向の振れ止めを計るためには、野縁受けの長手方向に沿って左右方向の振れ止めのために設けた振れ止め用筋交いに対して、これに直交する前後方向の振れ止めのための振れ止め用筋交いを設ける必要がある。
【０００４】
従来では、この前後方向の振れ止めのための振れ止め用筋交いを設けるための簡単な野縁受け懸架装置の提案が見られない。
【考案の概要】
【考案が解決しようとする課題】
【０００５】
本考案は、上記従来技術に鑑み、野縁受けの長手方向に沿って左右方向の振れ止めのために設けた振れ止め用筋交いに対して、これに直交する前後方向の振れ止めのための振れ止め用筋交いを簡単な構造によって設けることが可能とした野縁受け懸架装置を提案することを目的とする。
【課題を解決するための手段】
【０００６】
上記目的を達成するための手段を図面の参照符号を付して示せば、図１、特に図２〜図３に示すように、請求項１の考案に係る野縁受け懸架装置は、天井部Ｓより垂下される吊りボルト１の下端部１ａに野縁受け金具２を取り付け、これに野縁受け３を懸架するようにした野縁受け懸架装置において、野縁受け金具２は、野縁受け３を懸架するための野縁受け懸架金具片４と、吊りボルト１の下端部１ａに取り付けられる吊りボルト取付金具片５とを備え、野縁受け懸架金具片４と吊りボルト取付金具片５との夫々の上端部に形成した吊りボルト取付部片６，７を互いに重合し、この重合部８に吊りボルト１の下端部１ａを挿通させてナット９止めし、野縁受け懸架金具片４に形成した上向き縦片１０と、これに対向して吊りボルト取付金具片５に形成した下向き縦片１１とを重合し、この重合部１２と、野縁受け懸架金具片４の縦枠１３とにわたってボルト１４を挿通させてナット１５止めすることによって、野縁受け３をその長手方向に懸架支持する方形筒枠状の野縁受け金具２が形成され、吊りボルト取付金具片５の前記下向き縦片１１に、野縁受け３の長手方向に対してこれに直交する板状ブラケット１６を一体形成し、該板状ブラケット１６に振れ止め用水平部材１７を野縁受け３の長手方向に直交してビス１８止めするようにした構成からなるものである。
【０００７】
請求項２に係る考案は、吊りボルト１に、その上端部１９ａが固着され、その下端部１９ｂが野縁受け３にその長手方向に沿って傾斜して固着されてなる第１の振れ止め用筋交い１９と、吊りボルト１に、その上端部２０ａが固着され、その下端部２０ｂが野縁受け３に直交してビス１８止めされる振れ止め用水平部材１７に前記第１の振れ止め用筋交い１９と直交するように傾斜して固着されてなる第２の振れ止め用筋交い２０とを備えてなる請求項１に記載の構成からなるものである。
【０００８】
請求項３に係る考案は、振れ止め用水平部材１７は、隣り合う吊りボルト１，１間にわたって野縁受け金具２に形成した前記板状ブラケット１６にビス１８止めされ、前記第２の振れ止め用筋交い２０が夫々の吊りボルト１と振れ止め用水平部材１７との間に設けられてなる請求項２に記載の構成からなるものである。
【０００９】
請求項４に係る考案は、前記板状ブラケット１６の前面上下何れの部位においても振れ止め用水平部材１７をビス１８止めすることが可能なように該板状ブラケット１６の全域に多数のビス挿通孔２１が貫設されてなる請求項１〜３の何れかに記載の構成からなるものである。
【００１０】
請求項５に係る考案は、図４に示すように、野縁受け金具２を形成する野縁受け懸架金具片４と吊りボルト取付金具片５のうち、一方の野縁受け懸架金具片４を形成するための打ち抜き金属板２Ａは、ボルト挿通孔２２付きの縦枠１３に相当する部分を挟んで、その一端側に横折れ線２３によって折れ込まれるボルト挿通孔２４付きの吊りボルト取付部片６に相当する部分と、縦枠１３の他端側に２重の横折れ線２５によって２重に折り込まれるボルト挿通孔２６付きの上向き縦片１０に相当する部分からなり、他方の吊りボルト取付金具片５を形成するための打ち抜き金属板２Ｂは、ボルト挿通孔２７付き下向き縦片１１に相当する部分の一端側に横折れ線２８によって折り込まれるボルト挿通孔２９付きの吊りボルト取付部片７に相当する部分と、下向き縦片１１の一側側に縦折り線３０によって折り込まれる多数のビス挿通孔２１付きの板状ブラケット１６に相当する部分からなる請求項１〜４の何れかに記載の構成からなるものである。
【考案の効果】
【００１１】
次に、本考案の効果について、図面の参照符号を付して説明する。請求項１の考案に係る野縁受け懸架装置よれば、天井部Ｓより垂下される吊りボルト１の下端部１ａに取り付けられる野縁受け金具２は、野縁受け３を懸架するための野縁受け懸架金具片４と、吊りボルト１の下端部１ａに取り付けられる吊りボルト取付金具片５とを備え、野縁受け懸架金具片４と吊りボルト取付金具片５との夫々の上端部に形成した吊りボルト取付部片６，７を互いに重合し、この重合部８に吊りボルト１の下端部１ａを挿通させてナット９止めし、野縁受け懸架金具片４に形成した上向き縦片１０と、これに対向して吊りボルト取付金具片５に形成した下向き縦片１１とを重合し、この重合部１２と、野縁受け懸架金具片４の縦枠１３とにわたってボルト１４を挿通させてナット１５止めすることによって、野縁受け３をその長手方向に懸架支持する方形筒枠状の野縁受け金具２が形成されるため、該方形筒枠部２ａは野縁受け金具２の補強枠としての役割を果たし、野縁受け３を堅固に吊持することができる。ところで、左右方向に長く伸びる野縁受け３を方形筒枠状の野縁受け金具２に取り付けるにあたって、野縁受け３をその長手方向から方形筒枠状の野縁受け金具２に挿入して取り付けることは、野縁受け３が長尺で長く延びているため困難であるが、本考案の野縁受け金具２は、野縁受け懸架金具片４と吊りボルト取付金具片５とに分割して形成されているため、野縁受け３を野縁受け懸架金具片４に懸架してから野縁受け懸架金具片４と吊りボルト取付金具片５とを上述のようにして組み立てて方形筒枠状の野縁受け金具２とすることよって、長尺な野縁受け３であっても、野縁受け金具２に容易に取り付けることができ、実用的である。
【００１２】
又、本考案によれば、図１、図２に示すように、吊りボルト取付金具片５の前記下向き縦片１１に、野縁受け金具２に懸架される野縁受け３の長手方向に対してこれに直交する板状ブラケット１６を一体形成し、該板状ブラケット１６に振れ止め用水平部材１７を野縁受け３の長手方向に直交してビス１８によって固着するようにし、上述のように野縁受け金具２を野縁受け懸架金具片４と吊りボルト取付金具片５との２金具片からなるように分割形成し、その一方側の吊りボルト取付金具片５に一体形成した板状ブラケット１６に振れ止め用水平部材１７をビス１８によって固着するようにしたため、振れ止め用水平部材１７を野縁受け金具２に取り付ける構造が極めて簡単である。
【００１３】
請求項２に係る考案によれば、吊りボルト１に、その上端部１９ａが固着され、その下端部１９ｂが野縁受け３にその長手方向に沿って傾斜して固着されてなる第１の振れ止め用筋交い１９と、吊りボルト１に、その上端部２０ａが固着され、その下端部２０ｂが野縁受け３に直交してビス１８止めされる振れ止め用水平部材１７に前記第１の振れ止め用筋交い１９と直交するように傾斜して固着されてなる第２の振れ止め用筋交い２０とを備えてなるため、第１の振れ止め用筋交い１９を吊りボルト１の上端部と野縁受け３とにわたって傾斜状に取り付けることによって従来どおり野縁受け３の長手方向に沿う左右方向の振れ止めを果たすことができると共に、特に本考案によれば、野縁受け金具２に直接に設けた振れ止め用水平部材１７によって第２の振れ止め用筋交い２０を設けることができ、簡単な構成によって野縁受け３の長手方向である左右方向に対してこれに直交する前後方向の振れ止めも果たすことができる。このように、本考案によれば、天井下地構造である上記各部材を安価に製作することができる。
【００１４】
請求項３に係る考案によれば、振れ止め用水平部材１７は、隣り合う吊りボルト１，１間にわたって野縁受け金具２に形成した前記板状ブラケット１６にビス１８によって固着され、前記第２の振れ止め用筋交い２０が夫々の各吊りボルト１と各吊りボルト１，１間にわたって延びる共通の振れ止め用水平部材１７との間に設けられてなるため、隣り合う吊りボルト１，１間に簡単に第２の振れ止め用筋交い２０を設けることができ、各吊りボルト１ごとに第２の振れ止め用筋交い２０を取り付けるための取り付け構造必要としないから、この面からも安価に第２の振れ止め用筋交い２０を各吊りボルト１，１に設けることができる。
【００１５】
請求項４に係る考案によれば、前記板状ブラケット１６の前面上下何れの部位においても振れ止め用水平部材１７をビス１８止めすることが可能なように該板状ブラケット１６の全域に多数のビス挿通孔２１を貫設してなるため、第２の振れ止め用筋交い２０の傾斜角度によって第２の振れ止め用筋交い２０の下端部２０ｂの固定位置が変わる場合にあっても、板状ブラケット１６の全域に多数設けた何れかのビス挿通孔２１によって第２の振れ止め用筋交い２０の下端部２０ｂを正確に且つ容易に板状ブラケット１６にビス１８止めすることができ、実用的である。
【００１６】
請求項５に係る考案によれば、図４に示すように、野縁受け金具２を形成する野縁受け懸架金具片４と吊りボルト取付金具片５のうち、一方の野縁受け懸架金具片４を形成するための打ち抜き金属板２Ａは、ボルト挿通孔２２付きの縦枠１３に相当する部分を挟んで、その一端側に横折れ線２３によって折れ込まれるボルト挿通孔２４付きの吊りボルト取付部片６に相当する部分と、縦枠１３の他端側に２重の横折れ線２５によって２重に折り込まれるボルト挿通孔２６付きの上向き縦片１０に相当する部分からなり、他方の吊りボルト取付金具片５を形成するための打ち抜き金属板２Ｂは、ボルト挿通孔２７付き下向き縦片１１に相当する部分の一端側に横折れ線２８によって折り込まれるボルト挿通孔２９付きの吊りボルト取付部片７に相当する部分と、下向き縦片１１の一側側に縦折り線３０によって折り込まれる多数のビス挿通孔２１付きの板状ブラケット１６に相当する部分からなるため、鋼板などの金属板の打ち加工によって上記一連の構成部分を一体形成することができ、その後は打ち抜き金属板を折り込み加工するだけで製品とすることができるから非常に安価に製作することができる。
【図面の簡単な説明】
【００１７】
【図１】本考案に係る野縁受け懸架装置の使用状態を示す斜視図である。
【図２】同要部の拡大斜視図である。
【図３】同要部の組み立て状態を示すもので、（ａ）は正面図、（ｂ）は（ａ）のＡーＡ線断面図、（ｃ）は平面図である。
【図４】（ａ）及び（ｂ）は、本考案の要部の展開状態を示す図である。
【考案を実施するための形態】
【００１８】
以下に、本考案に係る野縁受け懸架装置の一実施形態について、図面を参照して具体的に説明すると、図１は、本考案に係る野縁受け懸架装置の使用状態を示す全体斜視図であり、天井部Ｓのインサート金具Ｓａに上端部が取り付けられて、互いに隣り合って多数の吊りボルト１が垂下して設けられ、これら吊りボルト１の下端部１ａに夫々野縁受け金具２が取り付けられている。各野縁受け金具２には野縁受け３がその長手方向である左右方向に連続して懸架されている。そして、各野縁受け３には、図１の図中左寄りに示すように、その上端部１９ａが吊りボルト１の上端部に設けた枢着金具３１によって固着され、その下端部１９ｂが野縁受け３にビス３２によって固着されて野縁受け３の長手方向に沿って傾斜状に第１の振れ止め用筋交い１９が取り付けられる。
【００１９】
又、各野縁受け金具２には、後で詳細に説明するが、野縁受け３の長手方向に対して直交して板状ブラケット１６が一体に突設して形成されており、これは各野縁受け３に一体形成した板状ブラケット１６の前面にわたって略Ｃ形チャンネル鋼板からなる振れ止め用水平部材１７がビス１８によって固着されており、そして各れ止め用水平部材１７には、その上端部２０ａが吊りボルト１の上端部に設けた枢着金具３１に固着され、その下端部２０ｂが振れ止め用水平部材１７にビス３２止めされて野縁受け３の長手方向に対してこれに直交する方向である前後方向に沿って傾斜状に第２の振れ止め用筋交い２０が取り付けられる。
【００２０】
なお、野縁受け３には、周知のように、これに直交して野縁３３が周知のクリップ３４によって連結されており、野縁３３に天井ボードなどの天井材３５がビスや接着剤によって固着されている。
【００２１】
図２は、図１に示す全体図のうち、要部を拡大して示すもので、又、図３は要部の組み立て状態を示すもので、この両図に基づいて説明すると、吊りボルト１の下端部１ａに取り付けられる野縁受け金具２は、図２、特に図３の（ｂ）に示すように、野縁受け３を懸架するための野縁受け懸架金具片４と、吊りボルト１の下端部１ａに取り付けられる吊りボルト取付金具片５とを備え、野縁受け懸架金具片４と吊りボルト取付金具片５との夫々の上端部を互いに対向するよう内向きに折り込ようにして吊りボルト取付部片６，７を一体形成し、両取付部片６，７を互いに重合し、この重合部８に吊りボルト１の下端部１ａを挿通させてナット９止めし、野縁受け懸架金具片４に形成した上向き縦片１０と、これに対向して吊りボルト取付金具片５に形成した下向き縦片１１とを重合し、この重合部１２と、野縁受け懸架金具片４の前記下向き縦片１１に対向する縦枠１３とにわたってボルト１４を挿通させてナット１５止めすることによって、野縁受け３をその長手方向に懸架支持する方形筒枠状の野縁受け金具２が形成され、左右方向に長く伸びる野縁受け３を方形筒枠状の野縁受け金具２に取り付けられるようになっている。このように、野縁受け金具２が方形筒枠状に形成されることによって、この方形筒枠部２ａが補強枠の役割を果たし、野縁受け３を堅固に吊持することができる。
【００２２】
ところで、野縁受け３をその長手方向から方形筒枠状の野縁受け金具２に挿入して取り付けることは、野縁受け３が長尺で長く延びているため困難であるが、本考案の野縁受け金具２は、野縁受け懸架金具片４と吊りボルト取付金具片５とに分割して形成されているため、野縁受け３を野縁受け懸架金具片４に懸架してから野縁受け懸架金具片４と吊りボルト取付金具片５とを上述のようにして組み立てて方形筒枠状の野縁受け金具２とすることよって、長尺な野縁受け３であっても、野縁受け金具２に容易に取り付けることができる。すなわち、野縁受け懸架金具片４に吊りボルト取付金具片５をボルト止めする前に、分解状態にある野縁受け懸架金具片４に野縁受け３をその上方から嵌合し、その後に、図３の（ｂ）に示すように、野縁受け懸架金具片４の上向き縦片１０と、これに対向して吊りボルト取付金具片５に形成した下向き縦片１１とを重合し、この重合部１２と、野縁受け懸架金具片４の縦枠１３とにわたってボルト１４を挿通させてナット１５止めするようにすればよい。これによって、両金具片４，５はボルト１４によって連結されるが、該ボルト１４は野縁受け懸架金具片４に嵌合している野縁受け３が上方に抜け出るのを防止する役目もある。
【００２３】
又、吊りボルト取付金具片５の前記下向き縦片１１には、図２、特に図３の（ｂ）に示すように、野縁受け金具２に懸架される野縁受け３の長手方向に対してこれに直交する板状ブラケット１６を一体形成し、該板状ブラケット１６に振れ止め用水平部材１７を野縁受け３の長手方向に直交してビス１８止めするようにし、上述のように野縁受け金具２を野縁受け懸架金具片４と吊りボルト取付金具片５との２金具片からなるように分割形成し、その一方側の吊りボルト取付金具片５に一体形成した板状ブラケット１６に振れ止め用水平部材１７をビス１８止めするようにしたため、振れ止め用水平部材１７を野縁受け金具２に取り付ける構造が極めて簡単である。
【００２４】
又、図１に示すように、吊りボルト１に、その上端部１９ａが枢着金具３１によって固着され、その下端部１９ｂが野縁受け３にその長手方向に沿って傾斜してビス３２によって固着されてなる第１の振れ止め用筋交い１９と、吊りボルト１に、その上端部２０ａが枢着金具３１によって固着され、その下端部２０ｂが野縁受け３に直交してビス１８によって固着される振れ止め用水平部材１７に前記第１の振れ止め用筋交い１９と直交するように傾斜して第２の振れ止め用筋交い２０がビス３２によって固着されてなるため、第１の振れ止め用筋交い１９のを吊りボルト１の上端部と野縁受け３とにわたって傾斜状に取り付けることによって、従来どおり野縁受け３の長手方向に沿う左右方向の振れ止めを果たすことができると共に、特に本考案にあっては、野縁受け金具２に直接に設けた振れ止め用水平部材１７によって第２の振れ止め用筋交い２０を設けることができ、簡単な構成によって野縁受け３の長手方向に対してこれに直交する方向の振れ止めも果たすことができ、これら両振れ止め用筋交い１９，２０に振れ止めされて地震などの大きな外部圧力を受けるも吊りボルト１から野縁受け金具２やこれに取り付けられる野縁受け３が脱落することはなく、野縁受け３に取り付けられている野縁３３あるいは天井材３４が脱落することを防ぐことができるとともに、上述のように簡単な構成からなるためこの種天井下地構造である上記各部材を安価に製作することができる。
【００２５】
又、振れ止め用水平部材１７は、隣り合う吊りボルト１，１間にわたって野縁受け金具２に形成した前記板状ブラケット１６にビス１８止めされ、前記第２の振れ止め用筋交い２０が夫々の吊りボルト１と吊りボルト１，１間にわたって延びる振れ止め用水平部材１７との間に設けられてなるため、隣り合う吊りボルト１，１間に簡単に第２の振れ止め用筋交い２０を設けることができ、各吊りボルト１ごとに第２の振れ止め用筋交い２０を取り付けるための取り付け構造を必要としないから、この面からも安価に第２の振れ止め用筋交い２０を各吊りボルト１，１に設けることができる。
【００２６】
更に又、前記板状ブラケット１６の前面上下何れの部位においても振れ止め用水平部材１７をビス１８止めすることが可能なように該板状ブラケット１６の全域に多数のビス挿通孔２１を貫設してなるため、第２の振れ止め用筋交い２０の傾斜角度によって第２の振れ止め用筋交い２０の下端部２０ｂの固定位置が変わる場合にあっても、板状ブラケット１６の全域に多数設けた何れかのビス挿通孔２１によって第２の振れ止め用筋交い２０の下端部２０ｂを正確に且つ容易に板状ブラケット１６にビス１８止めすることができ、実用的である。
【００２７】
なお、第１及び第２の振れ止め用筋交い１９，２０は、その上端部１９ａ，２０ａが角度調整可能な枢着金具３１に固着されているため、振れ止め用筋交い１９，２０の取り付け傾斜角度が４５°のみならず、例えば３０°または６０°の何れの傾斜角度であっても容易に対応することができる。
【００２８】
図４は、野縁受け金具２を形成する野縁受け懸架金具片４と吊りボルト取付金具片５の組み立て前の打ち抜き機によって打ち抜かれた打ち抜き金属板２Ａ，２Ｂを示すものであるが、このうち、野縁受け懸架金具片４を形成する打ち抜き金属板２Ａは、長帯板状に打ち抜かれたものからなり、前記ボルト１４が挿通するボルト挿通孔２２付きの縦枠１３に相当する部分を挟んで、その一端側に横折れ線２３によって折れ込まれる吊りボルト１の下端部１ａが挿通するためのボルト挿通孔２４付きの吊りボルト取付部片６に相当する部分と、縦枠１３の他端側に２重の横折れ線２５によって２重に折り込まれる吊りボルト１の下端部１ａが挿通するためのボルト挿通孔２６付きの上向き縦片１０に相当する部分からなり、他方の吊りボルト取付金具片５を形成するための打ち抜き金属板２Ｂは、ボルト１４が挿通するためのボルト挿通孔２７付きの下向き縦片１１に相当する部分の一端側に横折れ線２８によって折り込まれるボルト挿通孔２９付きの吊りボルト取付部片７に相当する部分と、下向き縦片１１の一側側に縦折り線３０によって折り込まれる多数のビス１８が挿通するためのビス挿通孔２１付きの板状ブラケット１６に相当する部分からなるため、鋼板などの金属板の打ち加工によって上記一連の構成部分を一体形成することができ、その後は打ち抜き金属板を折り込み加工するだけで製品とすることができるから非常に安価に製作することができる。
【符号の説明】
【００２９】
１          吊りボルト
１ａ        吊りボルト１の下端部
２          野縁受け金具
３          野縁受け
４          野縁受け懸架金具片
５          吊りボルト取付金具片
６          吊りボルト取付部片
７          吊りボルト取付部片
８          重合部
９          ナット
１０        上向き縦片
１１        下向き縦片
１２        重合部
１３        縦枠
１４        ボルト
１５        ナット
１６        板状ブラケット
１７        振れ止め用水平部材
１８        ビス
１９        第１の振れ止め用筋交い
１９ａ      第１の振れ止め用筋交い１９の上端部
１９ｂ      第１の振れ止め用筋交い１９の下端部
２０        第２の振れ止め用筋交い
２０ａ      第２の振れ止め用筋交い２０の上端部
２０ｂ      第２の振れ止め用筋交い２０の下端部
２１        ビス挿通孔
２Ａ        打ち抜き金属板
２Ｂ        打ち抜き金属板
２２        ボルト挿通孔
２３        横折れ線
２４        ボルト挿通孔
２５        ２重の横折れ線
２７        ボルト挿通孔
２８        横折れ線
２９        ボルト挿通孔
３０        縦折れ線
【図１】
0003206550.tif 000003
【図２】
0003206550.tif 000004
【図３】
0003206550.tif 000005
【図４】
0003206550.tif 000006